(57)【特許請求の範囲】
【請求項１】
熱交換室および送風室を有する空気調和機本体と、
前記空気調和機本体の前記熱交換室に配置された熱交換器と、
前記空気調和機本体の前記送風室に配置され、前記熱交換器に空気を送る送風装置と、を具備し、
前記送風装置は、回転軸を有するファンモータと、当該ファンモータの前記回転軸に軸方向に並べて装着された複数のファンと、前記ファンを夫々収容するとともに前記ファンの回転に伴って前記ファンから吹き出す空気を案内するファンケースと、を含み、
前記ファンケースおよび前記ファンモータは、夫々取付け脚を有し、前記ファンケースの前記取付け脚と前記ファンモータの前記取付け脚とは、互いに重ね合わせた状態で前記空気調和機本体に固定具を介して固定された空気調和機。
【請求項２】
前記空気調和機本体の内部を前記熱交換室と前記送風室との二室に区画する仕切り板をさらに備え、前記ファンモータの一端部が前記仕切り板に固定され、前記ファンモータの他端部に前記取付け脚が設けられた請求項１に記載の空気調和機。
【請求項３】
前記ファンケースの一端部が前記仕切り板に固定され、前記ファンケースの他端部に前記取付け脚が設けられた請求項２に記載の空気調和機。
【請求項４】
前記ファンモータの前記取付け脚および前記ファンケースの前記取付け脚に夫々前記固定具が貫通する孔が設けられ、前記ファンケースの前記取付け脚に設けられた前記孔は、前記仕切り板と直交する方向に沿う長孔である請求項３に記載の空気調和機。
【請求項５】
前記固定具は、ねじである請求項１又は請求項４に記載の空気調和機。
【請求項６】
前記ファンの間で前記回転軸を支承する軸受具をさらに備えた請求項１に記載の空気調和機。
【請求項７】
前記軸受具は、取付け脚を有するとともに、前記ファンケースは、前記軸受具の前記取付け脚に重ね合わされる取付け脚を有し、前記軸受具の前記取付け脚および前記ファンケースの前記取付け脚は、互いに重ね合わせた状態で固定具を介して前記空気調和機本体に固定された請求項６に記載の空気調和機。
【請求項８】
前記ファンモータの前記取付け脚および前記軸受具の前記取付け脚の夫々の板厚は互いに同一であり、
前記ファンケースの前記取付け脚は、前記空気調和機本体に重ね合わせて固定される第１の取付け部と、前記ファンモータの前記取付け脚もしくは前記軸受具の前記取付け脚に重ね合わせて固定される第２の取付け部と、を一体に備え、前記第２の取付け部は、前記第１の取付け部との間に前記ファンモータの前記取付け脚もしくは前記軸受具の前記取付け脚の板厚に相当する段差を有して前記第１の取付け部から折り曲げられた請求項７に記載の空気調和機。
【請求項９】
熱交換室および送風室を有する空気調和機本体と、
前記空気調和機本体の前記熱交換室に配置された熱交換器と、
前記空気調和機本体の前記送風室に配置され、前記熱交換器に空気を送る送風装置と、を具備し、
前記送風装置は、回転軸を有するファンモータと、当該ファンモータの前記回転軸に軸方向に並べて装着された複数のファンと、前記ファンを夫々収容するとともに前記ファンの回転に伴って前記ファンから吹き出す空気を案内するファンケースと、前記ファンの間で前記回転軸を支承する軸受具と、を含み、
前記ファンケースおよび前記軸受具は、夫々取付け脚を有し、前記ファンケースの前記取付け脚と前記軸受具の前記取付け脚とは、互いに重ね合わせた状態で前記空気調和機本体に固定具を介して固定された空気調和機。
【請求項１０】
前記空気調和機本体の内部を前記熱交換室と前記送風室との二室に区画する仕切り板をさらに備え、前記軸受具の一端部が前記仕切り板に固定され、前記軸受具の他端部に前記取付け脚が設けられた請求項９に記載の空気調和機。
【請求項１１】
前記ファンケースの一端部が前記仕切り板に固定され、前記ファンケースの他端部に前記取付け脚が設けられた請求項１０に記載の空気調和機。
【発明の詳細な説明】
【技術分野】
【０００１】
本発明の実施形態は、例えば天井吊り下げ形の室内ユニットを備えた空気調和機に関する。
【背景技術】
【０００２】
室内ユニットと室外ユニットとを備えた空気調和機において、室内ユニットが天井裏の梁等から吊り下げられた空気調和機では、室内ユニットがほとんど天井板に密着した状態で取り付けられている。このため、いわゆる壁掛け形の室内ユニットのように、室内ユニットが部屋の壁面から突出することはなく、室内で圧迫感を感じさせることがない。【０００３】
この種の空気調和機は、室内ユニットのユニット本体（筐体）の高さ方向の寸法を可能な限り短縮する必要がある反面、ユニット本体の幅方向に対しては寸法的な制約が少ない。そのため、ユニット本体を幅方向に広く形成し、送風装置は天井面に沿った広い範囲から熱交換器と熱交換した空気を吹き出すことで、熱交換効率の向上を図っている。
【先行技術文献】
【特許文献】
【０００４】
【特許文献１】特開２００５−１６４０７２号公報
【発明の概要】
【発明が解決しようとする課題】
【０００５】
送風装置は、二本の回転軸を有するとともに当該回転軸が両側面から突出されたファンモータと、前記回転軸に装着された複数のファンと、前記ファンを個々に収容するとともに前記ファンの回転に伴って熱交換空気を案内するファンケースと、を備えている。一方の回転軸に複数のファンを装着した場合は、ファンの間で回転軸を支承する軸受具が必要となる。【０００６】
したがって、送風装置は数多くの部品を備え、これら部品を一つずつ正確に位置を決めて固定しなくてはならない。よって、送風装置の組み立てに必然的に手間がかかる。さらに、ファンケースは、ファンに対して中心軸を合わせる必要があるとともに、ファンモータおよび軸受具に対する位置合わせも実行しなくてはならず、ファンケースの取り付け作業が極めて面倒である。ファンケースの位置がずれてしまうと、送風効率が低下するのを否めない。【０００７】
このような事情から、少なくともファンケースとファンモータの取付けに手間を要せず、組立時の作業性が向上するとともに、位置合わせ精度を高めて送風効率の低下を防止できる空気調和機が求められている。
【課題を解決するための手段】
【０００８】
本実施形態の空気調和機は、熱交換室および送風室を有する空気調和機本体と、前記空気調和機本体の前記熱交換室に配置された熱交換器と、前記空気調和機本体の前記送風室に配置され、前記熱交換器に空気を送る送風装置と、を備えている。【０００９】
前記送風装置は、回転軸を有するファンモータと、当該ファンモータの前記回転軸に軸方向に並べて装着された複数のファンと、前記ファンを夫々収容するとともに前記ファンの回転に伴って前記ファンから吹き出す空気を案内するファンケースと、を含む。前記ファンケースおよび前記ファンモータは、夫々取付け脚を有する。前記ファンケースの前記取付け脚と前記ファンモータの前記取付け脚とは、互いに重ね合わせた状態で前記空気調和機本体に固定具を介して固定されている。
【図面の簡単な説明】
【００１０】
【図１】図１は、第１の実施形態において、空気調和機を構成する室内ユニットの外観を示す斜視図である。
【図２】図２は、第１の実施形態の室内ユニットの縦断面図である。
【図３】図３は、第１の実施形態の室内ユニットの一部を示す底面図である。
【図４】図４は、第１の実施形態の室内ユニットに用いられる送風装置の斜視図である。
【図５】図５は、第２の実施形態の室内ユニットの底面図である。
【図６】図６は、図５の一部を拡大して示す底面図である。
【図７】図７は、第３の実施形態に係る送風装置の斜視図である。
【図８】図８は、図７の送風装置を部分的に拡大して示す斜視図である。
【図９】図９は、第３の実施形態の室内ユニットの一部を示す底面図である。
【発明を実施するための形態】
【００１１】
以下本発明の第１の実施形態を、図１ないし図４を参照して説明する。
【００１２】
図１は、空気調和機を構成する室内ユニットの外観を示す斜視図、図２は、室内ユニットの縦断面図である。
【００１３】
図１は、空気調和機本体としてのユニット本体１を示している。ユニット本体１は、図示しない天井裏の梁等から吊り下げられた複数の吊りボルトに引っ掛けられている。ユニット本体１は、天井面に極めて近接した状態で室内に露出されている。ユニット本体１は、厚さ方向の寸法と比較して幅方向の寸法が極めて大きく形成されている。ユニット本体１の厚さ方向は高さ方向と言い換えることができる。同様に、ユニット本体１の幅方向は、水平方向と言い換えることができる。
【００１４】
ユニット本体１は、下面を構成する底板部１aと、天井に近接された上面を構成する天板部１ｂと、底板部１aと天板部１ｂとを連結する左右一対の側板部１ｃおよび背面部１ｄと、を備えている。
【００１５】
吸込み口２が底板部１aに設けられている。吸込み口２は、底板部１aの幅方向に沿う全長に亘るとともに、当該底板部１aの前後方向の略半分程度の大きさを有する。吸込み口２には、底板部１aの幅方向に沿ってグリル１０およびフィルタ１１が取り外し可能に嵌め込まれている。
【００１６】
吹出し口３がユニット本体１の前面部に設けられている。吹出し口３には、水平ルーバ１２が開閉可能に取り付けられている。さらに、吹出し口３の水平ルーバ１２よりも奥方には、図示しない複数の縦ルーバが回動可能に取り付けられている。
【００１７】
図２ないし図４に示すように、ユニット本体１の内部に仕切り板６が設けられている。仕切り板６は、グリル１０が嵌め込まれた吸込み口２の一側縁に沿って起立されるとともに、ユニット本体１の天板部１ｂに当接するように延出されている。加えて、仕切り板６は、ユニット本体１の左右の側板部１ｃに当接するように延出されている。このため、仕切り板６は、ユニット本体１の内部を送風室Ａと熱交換室Ｂとの二室に区画している。
【００１８】
すなわち、送風室Ａおよび熱交換室Ｂは、仕切り板６を間に挟んでユニット本体１の内部に並設されている。送風室Ａは吸込み口２を有するとともに、当該送風室Ａに送風装置Ｓおよび電気部品箱９等が配置されている。熱交換室Ｂは吹出し口３を有するとともに、当該熱交換室Ｂに室内熱交換器５およびドレン受け７が配置されている。
【００１９】
送風室Ａに配置された電気部品箱９は、送風装置Ｓ等の駆動を制御する電気部品類を収容している。電気部品箱９は、送風装置Ｓとユニット本体１の背面部１ｄとの間に形成された狭いスペースに位置するようにユニット本体１に固定されている。
【００２０】
室内熱交換器５は、ユニット本体１の高さ方向に沿う寸法が制限されているため、強く前傾した姿勢で熱交換室Ｂに配置されている。ドレン受け７は、室内熱交換器５の下方に設置されている。ドレン受け７は、例えば厚肉の合成樹脂材で構成されているとともに、熱交換室Ｂの底面の略全ての領域を占有する面積を有している。そのため、ドレン受け７は、傾斜された室内熱交換器５から滴下する冷凍サイクル運転に伴って生成されたドレン水滴の全てを受け止めるようになっている。
【００２１】
図２に示すように、熱交換室Ｂの上部には、室内熱交換器５の上端部を支持する上部断熱材３０が設けられている。上部断熱材３０は、室内熱交換器５の冷凍サイクル作用に伴う発熱（温熱・冷熱）がユニット本体１を形成する板材に伝達しないように、ドレン受け７と同様に厚肉に形成されている。
【００２２】
次に、送風装置Ｓの構成・作用と、ユニット本体１に対する送風装置Ｓの取付け構造について説明する。
【００２３】
図３は、第１の実施形態に係る送風装置Ｓの取付け構造を説明するユニット本体１の一部の底面図、図４は、第１の実施形態に係る送風装置Ｓを上方から見た斜視図である。
【００２４】
ユニット本体１に設けられる送風装置Ｓは、ユニット本体１の幅方向に沿う広い範囲に熱交換空気を吹き出すようにするため、両軸のファンモータ１５を用いている。ファンモータ１５は、その左右の側面から同軸状に突出された二本の回転軸ａ，ａを備え、回転軸ａ，ａに夫々ファン１６が装着されている。すなわち、１台のファンモータ１５に対して二つのファン１６，１６が回転軸ａ，ａの軸方向に並べて設けられている。各ファン１６は、ファンケース１７に収容されている。
【００２５】
ファンモータ１５によりファン１６が回転されると、ファン１６は、軸方向から空気を吸い込んで周方向に吐き出す。ファンケース１７は、回転軸ａの周囲に吸込み用の開口部を備えるとともに、仕切り板６を貫通して熱交換室Ｂに突出するノズル部１７ａを一体に有している。
【００２６】
ファン１６が回転すると、室内の空気が吸込み口２からグリル１０およびフィルタ１１を介してユニット本体１の送風室Ａに吸い込まれる。送風室Ａに吸い込まれた空気は、ファンケース１７の開口部に吸い込まれるとともに、ノズル部１７ａから熱交換室Ｂへ吹き出す。すなわち、ファンケース１７は、ファン１６から吹き出す空気をノズル部１７ａに案内する。
【００２７】
熱交換室Ｂに配置された室内熱交換器５は、ノズル部１７ａから吹き出す空気との熱交換により、当該空気を冷気もしくは暖気の熱交換空気に変える。熱交換空気は、縦ルーバおよび水平ルーバ１２に案内されて吹出し口３から室内に吹き出す。これにより、室内の冷房又は暖房が実行される。
【００２８】
図３および図４に示すように、ファンモータ１５は、モータ固定装置１８を介してユニット本体１に固定されている。モータ固定装置１８は、ファンモータ１５を支持するモータ支持台１８ａと、当該モータ支持台１８ａにファンモータ１５の軸受部を押し付けて固定するモータ固定具１８ｂと、を備えている。
【００２９】
モータ固定装置１８のモータ支持台１８ａは、一方の端部が仕切り板６に固定されているとともに、他方の端部がユニット本体１の天板部１ｂに固定されている。したがって説明の都合上、モータ支持台１８ａをファンモータ１５に見立て、以下、モータ支持台１８ａであるファンモータ１５がユニット本体１に固定されているとする。
【００３０】
図３および図４に示すように、ファンモータ１５の一方の端部に一対の第１の取付け脚２０ａが設けられている。第１の取付け脚２０ａは、仕切り板６に沿うように折り曲げられている。ファンモータ１５の他方の端部に一対の第２の取付け脚２０ｂが設けられている。第２の取付け脚２０ｂは、ユニット本体１の天板部１ｂと平行となるようにファンモータ１５の左右に突出されている。第２の取付け脚２０ｂには、夫々取付け孔ｃが設けられている。
【００３１】
各ファンケース１７の一端部には、仕切り板６にねじで固定される取付け片部が一体に設けられている。各ファンケース１７の他端部には、左右のケース取付け脚２３がユニット本体１と平行となるように突出されている。ケース取付け脚２３には、夫々長孔状の取付け孔ｄが設けられている。取付け孔ｄは、仕切り板６の長手方向と直交する方向に延びている。
【００３２】
送風装置Ｓをユニット本体１に取り付ける手順について説明する。最初にファンモータ１５の回転軸ａにファン１６を固定する。引き続いて、ファン１６が一体化されたファンモータ１５をユニット本体１の所定の位置に取付ける。詳しく述べると、ファンモータ１５の第１の取付け脚２０ａを仕切り板６にねじで固定する。この際、第２の取付け脚２０ｂは、天板部１ｂに固定することなくフリーの状態とする。
【００３３】
次に、ファン１６の軸方向に対するファンケース１７の位置を合わせたうえで、当該ファンケース１７をユニット本体１に固定する。ファンケース１７に設けられた一方のケース取付け脚２３は、ファンモータ１５の第２の取付け脚２０ｂに重ね合わされる。ファンケース１７に設けられた他方のケース取付け脚２３は、ユニット本体１の上にある。
【００３４】
ファンケース１７の位置をファン１６の中心軸に合うように調整する際、ファンケース１７を仕切り板６の長手方向と直交する方向にある程度移動させる必要がある。この際、図４に最もよく示されるように、ファンケース１７の他端部に位置されたケース取付け脚２３には、ファンケース１７の移動方向と同じ方向に延びる長孔状の取付け孔ｄが設けられている。このため、ファンモータ１５の第２の取付け脚２０ｂに設けられた取付け孔ｃとケース取付け脚２３の取付け孔ｄとの間の相対的な位置がずれることはない。
【００３５】
ファンケース１７の位置を調整する作業が終了したら、図３に示すようにファンケース１７のケース取付け脚２３が重ねられたファンモータ１６の第２の取付け脚２０ｂをユニット本体１に対し取付けねじｅを用いて固定する。取付けねじｅは、固定具の一例であって、第２の取付け脚２０ｂの取付け孔ｃおよびケース取付け脚２３の取付け孔ｄの双方を貫通する。ファンケース１７の他方のケース取付け脚２３は、そのまま取付けねじｅを用いてユニット本体１に固定する。
【００３６】
第１の実施形態によれば、従来のようにファンモータおよびファンケースをユニット本体に対して個々に固定する必要はない。言い換えると、第１の実施形態では、ファンモータ１５およびファンケース１７がユニット本体１に対し共通の取付けねじｅで固定されるので、ファンモータ１５およびファンケース１７をユニット本体１に取付ける際の手間を軽減できる。
【００３７】
さらに、ファンモータ１５に対してファンケース１７の位置を合わせる作業を、ユニット本体１へのファンモータ１５およびファンケース１７の固定と同時に行うことができる。したがって、ファンケース１７の位置を合わせる作業を短時間のうちに効率よく行うことができる。それとともに、ファンケース１７の位置が正確に定まるので、送風装置Ｓの送風効率を良好に維持することができる。
【００３８】
図５および図６は、ユニット本体１に対する送風装置Ｓａの取付け構造に関する第２の実施形態を開示している。
【００３９】
図５は、第２の実施形態に係る室内ユニットの断面図であり、図６は、図５の一部をさらに拡大して示す底面図である。
【００４０】
送風装置Ｓａは、二本の回転軸ａ，ａを有する両軸のファンモータ１５と、一方の回転軸ａに装着された単一の第１のファン１６ａと、他方の回転軸ａに装着されて当該回転軸ａの軸方向に並んだ一対の第２のファン１６ｂ，１６ｃと、第１のファン１６ａおよび第２のファン１６ｂ，１６ｃを個々に収容した三つのファンケース１７と、第２のファン１６ｂ，１６ｃの間で他方の回転軸ａを支承する軸受具２５と、を備えている。
【００４１】
すなわち、第２の実施形態に係る送風装置Ｓａは、第１のファン１６ａおよび第２のファン１６ｂ，１６ｃを備えて、第１の実施形態の送風装置Ｓよりも多くの熱交換空気を吹き出すとともに、熱交換効率の向上を図るように構成されている。ファンモータ１５と、当該ファンモータ１５に対するファンケース１７の固定の仕方は、図３および図４で説明した第１の実施形態と同様であるため、図３および図４を適用して新たな説明は省略する。
【００４２】
第２の実施形態によると、軸受具２５と、軸受具２５を間に挟んで隣り合う二つのファンケース１７とは、以下のようにしてユニット本体１に固定されている。軸受具２５は、他方の回転軸ａを支承する軸受部と、当該軸受部に一体に設けられた取付け脚と、を備えている。取付け脚は、支持台２６に固定されている。支持台２６は、一端が仕切り板６に固定され、他端がユニット本体１の天板部１ｂに固定されている。
【００４３】
したがって説明の都合上、支持台２６を軸受具２５に見立て、以下、支持台２６である軸受具２５がユニット本体１に固定されているとする。
【００４４】
軸受部２５の一方の端部に第１の取付け脚２７ａが設けられている。第１の取付け脚２７ａは、仕切り板６に沿うように折り曲げられている。軸受具２５の他方の端部に一対の第２の取付け脚２７ｂが設けられている。第２の取付け脚２７ｂは、ユニット本体１の天板部１ｂと平行となるように軸受具２５の左右に突出されている。第２の取付け脚２７ｂには、夫々取付け孔が設けられている。
【００４５】
このような送風装置Ｓａの場合は、最初に軸受具２５の位置を決めてから、第１の取付け脚２７ａを仕切り板６に固定する。この際、第２の取付け脚２７ｂは、天板部１ｂに固定することなくフリーの状態とする。
【００４６】
次に、ファンケース１７の一方の端部を仕切り板６に固定する。この後、前記第１の実施形態と同様の手順でファン１６に対するファンケース１７の位置を調整し、ファンケース１７のケース取付け脚２３を軸受具２５の第２の取付け脚２７ｂに重ね合わせる。この状態で、ファンケース１７のケース取付け脚２３および軸受具２５の第２の取付け脚２７ｂを共通の取付けねじｅを用いてユニット本体１に固定する。
【００４７】
このような第２の実施形態によれば、軸受具２５およびファンケース１７をユニット本体１に対して個々に固定する必要はない。言い換えると、軸受具２５およびファンケース１７がユニット本体１に対し共通の取付けねじｅで固定されるので、軸受具２５およびファンケース１７をユニット本体１に取付ける際の手間を軽減できる。
【００４８】
さらに、軸受具２５に対するファンケース１７の位置を合わせる作業を、ユニット本体１への軸受具２５およびファンケース１７の固定と同時に行うことができる。したがって、ファンケース１７の位置を合わせる作業を短時間のうちに効率よく行うことができる。加えて、ファンケース１７の位置が正確に定まるので、送風装置Ｓａの送風効率を良好に維持することができる。
【００４９】
図７ないし図９は、ユニット本体１に対する送風装置Ｓの取付け構造に関する第３の実施形態を開示している。
【００５０】
図７は、第３の実施形態に係る送風装置Ｓを上方から見た斜視図であり、図８は、図７の一部を拡大して示す斜視図である。さらに、図９は、第３の実施形態に係る室内ユニットの一部を示す底面図である。
【００５１】
送風装置Ｓは、一対の回転軸ａを有する両軸のファンモータ１５と、ファンモータ１５の各回転軸ａに１個ずつ装着されたファン１６と、各ファン１６を収容したファンケース１７と、を備えている。ファンモータ１５の第２の取付け脚２０ｂは、前記第１の実施形態と同様の構成を有するのに対し、ファンケース１７のケース取付け脚２３Ａは、以下のように構成されている。
【００５２】
図８および図９に示すように、ケース取付け脚２３Ａは、ユニット本体１に直に接するとともにユニット本体１にねじで固定される第１の取付け部２３０ａと、当該取付け部２３０ａに一体に形成された第２の取付け部２３０ｂと、を備えている。第２の取付け部２３０ｂは、第１の取付け部２３０ａとの間にファンモータ１５の第２の取付け脚２０ｂの板厚に相当する段差を有して第１の取付け部２３０ａから折り曲げられている。第１の取付け部２３０ａおよび第２の取付け部２３０ｂには、夫々仕切り板６の長手方向と直交する方向に沿う長孔状の取付け孔ｄが設けられている。
【００５３】
第３の実施形態によると、ファンケース１７からファンモータ１５に向けて突出するケース取付け脚２３Ａは、ユニット本体１に直接重なり合う第１の取付け部２３０ａと、ファンモータ１５の第２の取付け脚２０ｂが重なり合う第２の取付け部２３０ｂと、を備えることになる。
【００５４】
第１の取付け部２３０ａと第２の取付け部２３０ｂとの間の段差は、ファンモータ１５の第２の取付け脚２０ｂの板厚に相当する。この結果、第２の取付け部２３０ｂが第２の取付け脚２０ｂに対し密に接触し、これら第２の取付け部２３０ｂと第２の取付け脚２０ｂとを、共通の取付けねじを用いてユニット本体１に固定することができる。
【００５５】
ファンケース１７における他方のケース取付け脚２３Ａは、第１の取付け部２３０ａがユニット本体１に重なり合い、第２の取付け部２３０ｂは、ユニット本体１に対し段差に相当する隙間を存して向かい合っている。したがって、第１の取付け部２３０ａを取付けねじを介してユニット本体１に固定することができる。
【００５６】
第３の実施形態に係る送風装置Ｓが第２の実施形態と同様の軸受具２５を備えている場合でも、ファンケース１７のケース取付け脚２３Ａは、第１の取付け部２３０ａと、当該第１の取付け部２３０ａに一体に形成された第２の取付け部２３０ｂと、を備えている。第２の取付け部２３０ｂは、第１の取付け部２３０ａとの間に軸受具２５の第２の取付け脚２７ｂの板厚に相当する段差を有して第１の取付け部２３０ａから折り曲げられている。
【００５７】
軸受具２５の第２の取付け脚２７ｂが重なり合うファンケース１７のケース取付け脚２３Ａは、段差を有する第２の取付け部２３０ｂとし、軸受具２５の無い側に突出するファンケース１７のケース取付け脚２３Ａは、第１の取付け部２３０ａをユニット本体１に重ね合わせて、取付けねじでユニット本体１に固定される。
【００５８】
先に説明した第１および第２の実施形態においては、ファンケース１７のファンモータ１５の側、もしくは軸受具２５の側に突出するケース取付け脚２３は、ファンモータ１５の第２の取付け脚２０ｂ、もしくは軸受具２５の第２の取付け脚２７ｂの板厚に相当する隙間の分だけユニット本体１から離れている。
【００５９】
すなわち、ユニット本体１から浮いた状態となっているファンケース１７のケース取付け脚２３を、取付けねじｅが強制的にユニット本体１に押し付けて固定することになる。この結果、ファンケース１７が微妙に傾いてしまい、ファンケース１７の位置がずれる虞がある。そこで、実際には、ユニット本体１とファンケース１７のケース取付け脚２３との間にスペーサを介在させ、ファンケース１７の傾きを矯正する必要がある。
【００６０】
第３の実施形態では、ファンモータ１５の第２の取付け脚２０ｂおよび軸受具２５の第２の取付け脚２７ｂの板厚が互いに同一であることを前提としている。ここでファンケース１７のケース取付け脚２３Ａは、ユニット本体１にねじで固定される第１の取付け部２３０ａと、ファンモータ１７の第２の取付け脚２０ｂもしくは軸受具２５の第２の取付け脚２７ｂに重ね合わせてねじで固定される第２の取付け部２３０ｂと、を一体に備えている。第２の取付け部２３０ｂは、ファンモータ１７の第２の取付け脚２０ｂもしくは軸受具２５の第２の取付け脚２７ｂの板厚に相当する段差を有するように第１の取付け部２３０ａから折り曲げられている。
【００６１】
この構成によれば、ファンケース１７からファンモータ１５とは反対側、もしくは軸受具２５とは反対側に突出されてユニット本体１に固定されるケース取付け脚２３Ａは、実際にはその第１の取付け部２３０ａがユニット本体１に対し直に重ね合わせて固定される。したがって、ケース取付け脚２３Ａとユニット本体１との間に隙間は生じない。この結果、専用のスペーサを省略できるとともに、ファンケース１７の微妙な傾きを解消することができ、送風効率を良好に維持することができる。
【００６２】
上記実施形態では、天井吊り下げ形の空気調和機を一例として説明したが、これに限定されるものではない。例えば、天井板の裏側に設置され、吸込み口および吹き出し口に夫々ダクトが接続された天井埋め込み形の空気調和機に対しても同様に適用が可能である。
【００６３】
以上、本実施形態を説明したが、上述の実施形態は例として提示したものであり、実施形態の範囲を限定することは意図していない。この新規な実施形態は、その他の様々な形態で実施されることが可能であり、要旨を逸脱しない範囲で種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１…空気調和機本体（ユニット本体）、５…熱交換器、６…仕切り板、１５…ファンモータ、１６…ファン、１７…ファンケース、２０ｂ…第２の取付け脚、２３，２３Ａ…ケース取付け脚、２５…軸受具、２７ｂ…第２の取付け脚、２３０ａ…第１の取付け部、２３０ｂ…第２の取付け部、Ａ…送風室、Ｂ…熱交換室、Ｓ，Ｓａ…送風装置、ａ…回転軸、ｅ…固定具（取付けねじ）。
【図１】
0005961751.tif 000002
【図２】
0005961751.tif 000003
【図３】
0005961751.tif 000004
【図４】
0005961751.tif 000005
【図５】
0005961751.tif 000006
【図６】
0005961751.tif 000007
【図７】
0005961751.tif 000008
【図８】
0005961751.tif 000009
【図９】
0005961751.tif 000010